(57)【要約】【目的】複数の画像情報再生装置の内の任意の１つを確実に動作制御の対象とさせることが可能な画像情報再生装置の制御装置及び制御方法を提供することを目的とする。【解決手段】画像情報再生装置各々から再生された画像データに基づく複数の再生画面を同時に表示スクリーンに表示させ、これら再生画面各々の内から任意に選択された１の再生画面に対応した画像情報再生装置のみを動作制御の対象とする。【選択図】  図１
2004363751.tif 000002
【特許請求の範囲】
【請求項１】
複数の画像情報再生装置を並行して制御する制御装置であって、
前記画像情報再生装置の各々から得られる画像データに基づいて複数の再生画面を同時に表示スクリーン上に表示する表示制御手段と、
前記画像情報再生装置に共通する動作制御を択一的になす動作制御操作子と、を含み、
前記動作制御操作子は、前記表示スクリーン上に表示されている再生画面各々の内から任意に選択された１の再生画面に対応した前記画像情報再生装置のみを前記動作制御の対象とすることを特徴とする画像情報再生装置の制御装置。
【請求項２】
前記表示制御手段は、選択された前記再生画面の周縁部に前記動作制御の対象となったことを告知する告知画像を重畳表示することを特徴とする請求項１記載の画像情報再生装置の制御装置。
【請求項３】
前記告知画像は、帯状の画像であることを特徴とする請求項２記載の画像情報再生装置の制御装置。
【請求項４】
前記告知画像は、単色の画像であることを特徴とする請求項２又は３記載の画像情報再生装置の制御装置。
【請求項５】
前記表示制御手段は、告知画像表示停止指令に応じて前記告知画像の表示を停止することを特徴とする請求項２記載の画像情報再生装置の制御装置。
【請求項６】
前記画像情報再生装置の少なくとも１は、画像情報が記録されている記録媒体から記録情報の再生を行う記録媒体ドライブ装置であることを特徴とする請求項１記載の画像情報再生装置の制御装置。
【請求項７】
前記画像情報再生装置は、光ディスクレコーダ及び磁気ディスクレコーダを含むことを特徴とする請求項６記載の画像情報再生装置の制御装置。
【請求項８】
複数の画像情報再生装置に共通する動作制御を択一的になす動作制御操作子にて前記画像情報再生装置の各々を並行して制御する制御方法であって、
前記画像情報再生装置の各々から得られる画像データに基づいて複数の再生画面を同時に表示スクリーン上に表示させる表示制御行程と、
前記動作制御操作子にて前記表示スクリーン上に表示されている再生画面各々の内から任意に選択した１の再生画面に対応した前記画像情報再生装置のみを前記動作制御の対象とする動作制御切換行程と、を有することを特徴とする画像情報再生装置の制御方法。
【発明の詳細な説明】
【０００１】
【発明が属する技術分野】
本発明は、複数の画像情報再生装置の動作制御を行う制御装置及び制御方法に関する。
【０００２】
【従来の技術】
現在、ＤＶＤレコーダ及びハードディスクレコーダ等の複数の情報記録再生装置を１つの筐体に搭載した製品が登場してきた（例えば、特許文献１参照）。
このような製品においては、ＤＶＤレコーダ及びハードディスクレコーダ各々を、同時に且つ独立して録画又は再生動作に設定することが可能である。例えば、ＤＶＤレコーダ側において映像再生を行っている最中にハードディスクレコーダに録画されている内容をも同時に再生する場合、ＤＶＤレコーダから再生された映像をディスプレイ画面の左半面の領域、ハードディスクレコーダから再生された映像をディスプレイ画面の右半面の領域に夫々表示する。
【０００３】
ここで、ハードディスクレコーダ側のの各種録画再生動作（再生、停止、早送り、戻し、録画等）を変更させるには、使用者は、先ず、リモコンに設けられている［ハードディスクレコーダ］ボタンを押圧し、引き続き上記の如き各種録画再生動作を指定する為のボタンを押圧操作する。同様に、ＤＶＤレコーダ側の各種録画再生動作（再生、停止、早送り、戻し、録画等）を変更させるには、使用者は、先ず、リモコンに設けられている［ＤＶＤレコーダ］ボタンを押圧し、引き続き上記の如き各種録画再生動作を指定する為のボタンを押圧操作する。
【０００４】
この際、使用者は、ディスプレイ画面に表示された映像を鑑賞することにより、前述した如き各種録画再生動作（再生、停止、早送り、戻し、録画等）の変更を行う。
従って、使用者側においてディスプレイ画面の左半面の領域にはＤＶＤからの再生映像、右半面の領域にはハードディスクからの再生映像が表示さている点を認識しておかなければ、意図していない方の動作を変更してしまう恐れがあった。
【０００５】
【特許文献１】
特開２００１−２３６７１５号公報
【０００６】
【発明が解決しようとする課題】
本発明は、かかる問題点を解決すべく為されたものであり、複数の画像情報再生装置の内の任意の１つを確実に操作対象とすることが可能な画像情報再生装置の制御装置及び制御方法を提供することを目的とする。
【０００７】
【課題を解決するための手段】
請求項１記載による画像情報再生装置の制御装置は、複数の画像情報再生装置を並行して制御する制御装置であって、前記画像情報再生装置の各々から得られる画像データに基づいて複数の再生画面を同時に表示スクリーン上に表示する表示制御手段と、前記画像情報再生装置に共通する動作制御を択一的になす動作制御操作子と、を含み、前記動作制御操作子は、前記表示スクリーン上に表示されている再生画面各々の内から任意に選択された１の再生画面に対応した前記画像情報再生装置のみを前記動作制御の対象とする。
【０００８】
請求項８記載による画像情報再生装置の制御方法は、複数の画像情報再生装置に共通する動作制御を択一的になす動作制御操作子にて前記画像情報再生装置の各々を並行して制御する制御方法であって、前記画像情報再生装置の各々から得られる画像データに基づいて複数の再生画面を同時に表示スクリーン上に表示させる表示制御行程と、前記動作制御操作子にて前記表示スクリーン上に表示されている再生画面各々の内から任意に選択した１の再生画面に対応した前記画像情報再生装置のみを前記動作制御の対象とする動作制御切換行程と、を有する。
【０００９】
【発明の実施の形態】
以下、本発明の実施例を図面を参照しつつ詳細に説明する。
図１は、本発明による制御装置を搭載した録画装置の概略構成を示す図である。
図１において、ＴＶチューナ１は、アンテナ又はケーブルを介して供給されたテレビジョン放送波を受信して、チャンネル指定信号ＣＳによって指定されたチャンネルに対応した放送局からの放送波のみを選局する。そして、ＴＶチューナ１は、かかる放送波を復調することにより受信テレビジョン信号を得て、これをＤＶＤレコーダ２及びハードディスクレコーダ３の各々に供給する。
【００１０】
ＤＶＤレコーダ２は、受信テレビジョン信号に基づく映像データ及び音声データをＤＶＤ（図示せぬ）に記録する。又、ＤＶＤレコーダ２は、ＤＶＤに記録されている映像データ及び音声データの再生を行い、再生された映像データを映像データＶＤ１としてマルチ画面表示処理回路４に供給すると共に、再生された音声データを音声データＡＤ１として音声セレクタ５に供給する。
【００１１】
尚、ＤＶＤレコーダ２は、操作切換制御回路６から供給された録画再生動作指令信号ＯＰ１にて示される動作を行う。例えば、記録動作を示す録画再生動作指令信号ＯＰ１が供給された場合、ＤＶＤレコーダ２は、上述した如き記録動作を開始する。又、再生動作を示す録画再生動作指令信号ＯＰ１が供給された場合にはＤＶＤレコーダ２は、上述した如き再生動作を開始する。又、停止動作を示す録画再生動作指令信号ＯＰ１が供給された場合には、ＤＶＤレコーダ２は、上述した如き再生動作又は記録動作を停止する。
【００１２】
ハードディスクレコーダ３は、上記受信テレビジョン信号に基づく映像データ及び音声データを内蔵記録媒体としての磁気ディスクに記録する。又、ハードディスクレコーダ３は、この磁気ディスクに記録されている映像データ及び音声データの再生を行い、再生された映像データを映像データＶＤ２としてマルチ画面表示処理回路４に供給すると共に、再生された音声データを音声データＡＤ２として音声セレクタ５に供給する。
【００１３】
尚、ハードディスクレコーダ３は、操作切換制御回路６から供給された録画再生動作指令信号ＯＰ２にて示される動作を行う。例えば、記録動作を示す録画再生動作指令信号ＯＰ２が供給された場合、ハードディスクレコーダ３は、上述した如き記録動作を開始する。又、再生動作を示す録画再生動作指令信号ＯＰ２が供給された場合にはハードディスクレコーダ３は、上述した如き再生動作を開始する。又、停止動作を示す録画再生動作指令信号ＯＰ２が供給された場合には、ハードディスクレコーダ３は、上述した如き再生動作又は記録動作を停止する。
【００１４】
音声セレクタ５は、上記音声データＡＤ１及びＡＤ２の内から、音声出力選択信号ＡＳにて示された方を選択し、その音声データに対応した音声信号ＡＯＵＴを表示装置１０に供給する。この際、上記音声信号ＡＯＵＴに対応した音声が表示装置１０に搭載されているスピーカ（図示せぬ）から出力される。
マルチ画面表示処理回路４は、表示モード指定信号ＭＯＤにて指定された表示モードにて、上記映像データＶＤ１及びＶＤ２に基づく画像を表示装置１０に表示させるべき映像信号を生成し、これを映像信号ＶＯＵＴとして表示装置１０に供給する。例えば、表示モード指定信号ＭＯＤがＤＶＤ表示モードを示す場合には、マルチ画面表示処理回路４は、映像データＶＤ１に基づく画像を表示装置１０の画面全面に表示させるべき映像信号ＶＯＵＴを生成する。又、表示モード指定信号ＭＯＤがＨＤ表示モードを示す場合には、マルチ画面表示処理回路４は、映像データＶＤ２に基づく画像を表示装置１０の画面全面に表示させるべき映像信号ＶＯＵＴを生成する。又、表示モード指定信号ＭＯＤがマルチ画面表示モードを示す場合には、マルチ画面表示処理回路４は、映像データＶＤ１に基づく画像を表示装置１０の画面の左半面、映像データＶＤ２に基づく画像を画面の右半面に表示させるべき映像信号ＶＯＵＴを生成する。従って、マルチ画面表示モード時には、図２に示す如く、表示装置１０の表示スクリーン１０ａ内の左半面の画面領域ＥＲにはＤＶＤレコーダ２から再生出力された映像、右半面の画面領域ＥＬにはハードディスクレコーダ３から再生出力された映像が夫々同時に表示される。尚、マルチ画面表示処理回路４は、操作切換制御回路６から供給された選択対象枠表示指令に応じて、この選択対象枠表示指令によって指定された方の画面領域（ＥＲ又はＥＬ）の周縁部に単色の選択対象枠が図２に示す如き画像中に重畳表示された映像信号ＶＯＵＴを生成する。
【００１５】
リモコン７の操作面には、使用者からの各種指令操作を受け付ける為の各種操作ボタンが設けられている。
図３は、リモコン７の操作面の一部を示す図である。
図３において、かかる操作面には、ＴＶチューナ１に対するチャンネル指定又は各種数値入力の為の数字ボタン群ＮＧ、表示装置１０の画面上に表示されたカーソルを移動させるカーソルキーＣＫが設けられている。尚、カーソルキーＣＫは、カーソルを右方向に移動させる為の右方向キーＣＲ、左方向に移動させる為の左方向キーＣＬ、上方向に移動させる為の上方向キーＣＵ、及び下方向に移動させる為の下方向キーＣＤからなる。又、この操作面には、ＤＶＤレコーダ２及びハードディスクレコーダ３各々による各種録画再生動作を指定する為の［再生ボタン］、［早送りボタン］、［巻戻しボタン］、［一時停止ボタン］、［停止ボタン］、及び［録画ボタン］等からなる録画再生ボタン群ＲＳＧが設けられている。更に、かかる操作面には、ＤＶＤレコーダ２を操作対象として指定する為のＤＶＤ選択ボタンＤ１、及びハードディスクレコーダ３を操作対象として指定する為のＨＤ選択ボタンＤ２が設けられている。
【００１６】
リモコン７は、使用者によって押圧された上記各種操作ボタンに対応した各種操作信号を発生し、これを操作信号受信回路８に送信する。操作信号受信回路８は、リモコン７から送信された操作信号を受信し、これを操作切換制御回路６に供給する。又、操作信号受信回路８は、上記操作信号中に、数字ボタン群ＮＧの押圧操作に対応した操作信号が存在する場合には、押圧された番号に対応したチャンネル指定信号ＣＳをＴＶチューナ１に供給する。
【００１７】
操作切換制御回路６は、上記操作信号中に上記リモコン７のＤＶＤ選択ボタンＤ１の押圧操作に対応した信号が存在する場合にはＤＶＤ操作モードに設定される。又、操作切換制御回路６は、上記操作信号中にリモコン７のＨＤ選択ボタンＤ２の押圧操作に対応した信号が存在する場合にはＨＤ操作モードに設定される。操作切換制御回路６は、上記ＤＶＤ操作モードに設定された場合には、リモコン７の録画再生ボタン群ＲＳＧの押圧操作に対応した録画再生動作指令信号ＯＰ１をＤＶＤレコーダ２に供給する。この際、ＤＶＤレコーダ２は、録画再生動作指令信号ＯＰ１によって指定された動作状態となる。例えば、使用者がリモコン７のＤＶＤ選択ボタンＤ１を押圧し、引き続き、録画再生ボタン群ＲＳＧ中の［再生ボタン］を押圧すると、ＤＶＤレコーダ２及びハードディスクレコーダ３の内のＤＶＤレコーダ２が再生動作となる。一方、操作切換制御回路６がＨＤ操作モードに設定された場合には、操作切換制御回路６は、リモコン７の録画再生ボタン群ＲＳＧの押圧操作に対応した録画再生動作指令信号ＯＰ２をハードディスクレコーダ３に供給する。この際、ハードディスクレコーダ３は、録画再生動作指令信号ＯＰ２によって指定された動作状態となる。例えば、使用者がリモコン７のＨＤ選択ボタンＤ２を押圧し、引き続き、録画再生ボタン群ＲＳＧ中の［再生ボタン］を押圧すると、ＤＶＤレコーダ２及びハードディスクレコーダ３の内のハードディスクレコーダ３が再生動作となる。
【００１８】
ここで、ＤＶＤレコーダ２及びハードディスクレコーダ３が共に再生動作になると、先ず、操作切換制御回路６はマルチ画面表示モードを指定する表示モード指定信号ＭＯＤをマルチ画面表示処理回路４に供給する。この表示モード指定信号ＭＯＤに応じて、マルチ画面表示処理回路４は、映像データＶＤ１に基づく画像を表示装置１０の画面の左半面、映像データＶＤ２に基づく画像を表示装置１０の画面の右半面に表示させるべき映像信号ＶＯＵＴを表示装置１０に供給する。これにより、図２に示すように、表示装置１０の表示スクリーン１０ａの左半面の画面領域ＥＬ内にはＤＶＤレコーダ２から再生出力された映像、右半面の画面領域ＥＲ内にはハードディスクレコーダ３から再生出力された映像が夫々同時に表示される。次に、操作切換制御回路６は図４に示す如き選択切換制御フローに従った制御を実行する。
【００１９】
図４において、先ず、操作切換制御回路６は、操作信号受信回路８から供給された操作信号中に、図３に示す如き左方向キーＣＬの押圧操作に対応した信号が存在するか否かを判定する（ステップＳ１）。ステップＳ１において左方向キーＣＬの押圧操作に対応した信号が存在すると判定された場合、操作切換制御回路６は、図２に示す如き表示スクリーン１０ａ内の左半面に位置する画面領域ＥＬを囲む選択対象枠を表示させるべき選択対象枠表示指令をマルチ画面表示処理回路４に供給する（ステップＳ２）。かかるステップＳ２の実行により、ディスプレ装置１０の表示スクリーン１０ａには、図５（ａ）に示すように、ＤＶＤレコーダ２から再生出力された映像の表示される画面領域ＥＬの周縁部に単色の選択対象枠ＳＷが表示される。次に、操作切換制御回路６は、ＤＶＤ操作モードであることを表す論理レベル１のＤＶＤ操作モードフラグを内蔵レジスタ（図示せぬ）に記憶すると共に音声データＡＤ１を選択して出力させるべき音声出力選択信号ＡＳを音声セレクタ５に供給する（ステップＳ３）。かかるステップＳ３の実行により、操作切換制御回路６はＤＶＤ操作モードとなり、リモコン７による各種の録画再生操作に対応した録画再生指令信号（ＯＰ１）がＤＶＤレコーダ２に供給される。すなわち、ＤＶＤレコーダ２及びハードディスクレコーダ３の内のＤＶＤレコーダ２のみが、リモコン７による操作対象となるのである。更に、かかるステップＳ３の実行により、ＤＶＤレコーダ２から再生出力された音声データＡＤ１に基づく音声が、表示装置１０に内蔵されているスピーカから出力される。
【００２０】
一方、上記ステップＳ１において左方向キーＣＬの押圧操作に対応した信号が存在しないと判定された場合、操作切換制御回路６は、上記操作信号中に、図３に示す如き右方向キーＣＲの押圧操作に対応した信号が存在するか否かを判定する（ステップＳ４）。ステップＳ４において右方向キーＣＲの押圧操作に対応した信号が存在しないと判定された場合、操作切換制御回路６は、上記ステップＳ１の実行に戻って前述した如き動作を繰り返し実行する。ステップＳ４において右方向キーＣＲの押圧操作に対応した信号が存在すると判定された場合、操作切換制御回路６は、図２に示す如き表示スクリーン１０ａ内の右半面に位置する画面領域ＥＲを囲む選択対象枠を表示させるべき選択対象枠表示指令をマルチ画面表示処理回路４に供給する（ステップＳ５）。かかるステップＳ５の実行により、ディスプレ装置１０の表示スクリーン１０ａには、図５（ｂ）に示すように、ハードディスクレコーダ３から再生出力された映像が表示される画面領域ＥＲの周縁部に、単色の選択対象枠ＳＷが表示される。次に、操作切換制御回路６は、ＨＤ操作モードであることを表す論理レベル１のＨＤ操作モードフラグを内蔵レジスタ（図示せぬ）に記憶すると共に音声データＡＤ２を選択して出力させるべき音声出力選択信号ＡＳを音声セレクタ５に供給する（ステップＳ６）。かかるステップＳ６の実行により、操作切換制御回路６はＨＤ操作モードとなり、リモコン７による各種の録画再生操作に対応した録画再生指令信号（ＯＰ２）がハードディスクレコーダ３に供給される。すなわち、ＤＶＤレコーダ２及びハードディスクレコーダ３の内のハードディスクレコーダ３のみが、リモコン７による操作対象となるのである。更に、かかるステップＳ６の実行により、ハードディスクレコーダ３から再生出力された音声データＡＤ２に基づく音声が、表示装置１０に内蔵されているスピーカから出力される。
【００２１】
上記ステップＳ３又はＳ６の実行後、操作切換制御回路６は、操作信号受信回路８から供給された操作信号中に、図３に示す如き録画再生ボタン群ＲＳＧ中の［停止ボタン］の押圧操作に対応した信号が存在するか否かを判定する（ステップＳ７）。ステップＳ７において［停止ボタン］の押圧操作に対応した信号が存在しないと判定された場合、操作切換制御回路６は、上記ステップＳ１の実行に戻って前述した如き動作を繰り返し実行する。一方、ステップＳ７において［停止ボタン］の押圧操作に対応した信号が存在すると判定された場合、操作切換制御回路６は、図４に示す如き選択切換制御フローを抜けて図示せぬメイン制御フローの実行に移る。
【００２２】
以上の如き構成によれば、使用者は、リモコン７の右方向キーＣＲ又は左方向キーＣＬにて表示スクリーン１０ａ内に表示された画面領域ＥＲ及びＥＬの内の一方を選択するだけで、選択された画面領域に表示されている画像の供給元となる画像情報再生装置（ＤＶＤレコーダ２又はハードディスクレコーダ３）を操作の対象に設定できる。
【００２３】
よって、使用者は、画面内に表示された複数の画像各々と、各画像の供給元となる画像情報再生装置各々との対応関係を認識していなくとも、所望の画像を提供している画像情報再生装置のみを確実に操作することが可能になるのである。尚、上記実施例においては、画面領域ＥＲ及びＥＬの内の選択された方の画面領域を視覚的に告知させるべく、その周縁部に帯状の選択対象枠ＳＷを重畳表示させるようにしているが、その形態は図５（ａ）又は図５（ｂ）に示す如き形態に限定されない。例えば、図６に示す如く、選択された画面領域の周縁部に選択対象マークＳＭを表示させるようにしても良い。要するに、選択された画面領域を視覚的に告知する告知画像が、その画像の周縁部に表示されていれば良いのである。
【００２４】
又、上記実施例においては、左方向キーＣＬ及び右左方向キーＣＲの押圧操作により画面領域（ＥＲ、ＥＬ）の切り替えを行っているが、単一の画面切換ボタンをリモコン７に設け、この画面切替ボタンを押圧操作する度に選択対称となる画面領域が切り替わるようにしても良い。
又、上記実施例においては、選択された画面領域の周縁部に告知画像としての選択対象枠ＳＷを常に表示させているが、使用者によるリモコン７の操作によって選択対象枠ＳＷの表示を停止させるようにしても良い。例えば、リモコン７に設けられているＤＶＤ選択ボタンＤ１及びＨＤ選択ボタンＤ２を同時に押圧すると、選択対象枠ＳＷの表示停止指令が送信されるようにする。この際、かかる表示停止指令に応じて、マルチ画面表示処理回路４は、選択対象枠ＳＷの表示を停止させるのである。
【００２５】
又、上記実施例においては、同時に再生動作を行う画像情報再生装置をＤＶＤレコーダ２及びハードディスクレコーダ３の２台で説明したが、このような画像情報再生装置は３台以上であっても構わない。
要するに、Ｎ個（Ｎは２以上の自然数）の画像情報再生装置にて得られた再生画像の各々を表示スクリーン内のＮ個の画面領域に夫々分割して同時表示させると共に、リモコンの操作によって選択された画面領域に表示されている画像の供給元となる画像情報再生装置のみを操作対象に設定するような構成であれば良いのである。
【図面の簡単な説明】
【図１】本発明による画像情報再生装置の制御装置を搭載した録画装置の構成を示す図である。
【図２】ＤＶＤレコーダ２及びハードディスクレコーダ３各々で再生された映像を同時に表示すべく表示装置１０の表示スクリーン１０ａ内に形成された画面領域ＥＲ及びＥＬを表す図である。
【図３】リモコン７の操作面を示す図である。
【図４】操作選択制御回路６にて実施される選択切換制御処理を表すフロー図である。
【図５】表示装置１０の表示スクリーン１０ａ内において画面領域ＥＲ又はＥＬを囲む選択対象枠ＳＷを重畳表示する際の表示例を示す図である。
【図６】表示装置１０の表示スクリーン１０ａ内において画面領域ＥＲ又はＥＬの周縁部に選択対象マークＳＭを表示する際の表示例を示す図である。
【符号の説明】
２  ＤＶＤレコーダ
３  ハードディスクレコーダ
４  マルチ画面表示処理回路
６  選択操作制御回路
【図１】
2004363751.tif 000003
【図２】
2004363751.tif 000004
【図３】
2004363751.tif 000005
【図４】
2004363751.tif 000006
【図５】
2004363751.tif 000007
【図６】
2004363751.tif 000008